(57)【要約】【課題】容量を増大し、コストを下げ、操作が簡単な無線通信の大容量保存ロード体を提供する。【解決手段】無線通信の大容量保存ロード体は、デジタル装置に挿入したシミュレーションメモリーカード１００と無線通信信号を受けられるメモリーロード体１１０によってデーターを伝送する。シミュレーションメモリーカードはメモリー連接機１０、メモリーカード制御機２０及び無線通信インターフェイスモジュール３０を備え、デジタル装置が無線通信インターフェイスモジュールを備え、このデジタル装置を受け、無線通信インターフェイスモジュールを通り、この命令を伝送、アクセスする。このメモリーカード制御機２０は標準のメモリーカード出入力インターフェイス及びプロトコルをシミュレーションし、デジタル装置の命令とデーターを伝送し、並びに無線通信インターフェイスモジュールを通り、メモリーロード体を制御し、アクセスしたデーターを取得する。【選択図】　　　　図１
2004110762.tif 000002
【特許請求の範囲】
【請求項１】
無線通信の大容量保存ロード体は、デジタル装置に挿入したシミュレーションメモリーカード、無線通信信号を受けられるメモリーロード体によって、データーを伝送するもので、そのうちシミュレーションメモリーカードはメモリー連接機、メモリーカード制御機及び無線通信インターフェイスモジュールを備え、このメモリーカード制御機は標準のメモリーカード出入力インターフェイスおよびプロトコルをシミュレーションし、デジタル装置を受けて無線通信インターフェイスモジュール３０を通り、この命令を伝送、アクセスすることを特徴とする無線通信の大容量保存ロード体。
【請求項２】
前記無線通信インターフェイスモジュールは、無線通信インターフェイス制御機、ＲＦモジュール及びＲＦアンテナを含み、このメモリーカード制御機は先ず命令を無線通信インターフェイスモジュールに適用するプロトコルと命令セットに転換した後、無線通信制御機とＲＦモジュールによってＲＦアンテナに伝送されることを特徴とする請求項１記載の無線通信の大容量保存ロード体。
【請求項３】
前記メモリーロード体は相対する無線通信インターフェイスモジュール、ＩＤＥインターフェイス転換制御機及び大容量記憶装置を含むことを特徴とする請求項１記載の無線通信の大容量保存ロード体。
【請求項４】
前記相対する無線通信インターフェイスモジュールは、無線通信インターフェイス制御機、ＲＦモジュール及びＲＦアンテナを含むことを特徴とする請求項３記載の無線通信の大容量保存ロード体。
【請求項５】
前記ＩＤＥインターフェイス転換制御機は、ＩＤＥ／ＡＴＡ、ＩＤＥ／ＡＴＡＰＩ、ＵＳＢ或いはＩＥＥＥ１３９４インターフェイス制御気を含むことを特徴とする請求項３記載の無線通信の大容量保存ロード体。
【請求項６】
前記メモリーロード体は、内建て電源及び昇圧転換回路を含み、相対する無線通信ＩＤＥモジュールに供給され、このＩＤＥインターフェイス転換制御機及び大容量記憶装置が必要とする電源となることを特徴とする請求項３記載の無線通信の大容量保存ロード体。
【請求項７】
前記大容量ロード体は、ハードディスク（ＨＤＤ）、ＣＤ−ＲＯＭ（ＣＤ、ＤＶＤ、ＭＯ）、ディスク（Ｚｉｐ）或いは内建て式書き込み可能のフラッシュメモリーを含むことを特徴とする請求項３記載の無線通信の大容量保存ロード体。
【請求項８】
前記メモリーカード連接機は、電源転換回路を含み、メモリーカード連接機内部の部品に適用する電源電圧に転換することを特徴とする請求項１記載の無線通信の大容量保存ロード体。
【請求項９】
前記メモリーカード連接機は、ＣＦカードを含むことを特徴とする請求項１記載の無線通信の大容量保存ロード体。
【請求項１０】
前記メモリーカード連接機は、ＭＳカードを含むことを特徴とする請求項１記載の無線通信の大容量保存ロード体。
【請求項１１】
前記メモリーカード連接機は、ＳＤ／ＭＭＣカードを含むことを特徴とする請求項１記載の無線通信の大容量保存ロード体。
【請求項１２】
前記メモリーカード連接機は、ＰＣＭＣＩＡカードを含むことを特徴とする請求項１記載の無線通信の大容量保存ロード体。
【発明の詳細な説明】
【０００１】
【発明の属する技術分野】
本発明は、無線通信の大容量保存ロード体に関するものである。
【０００２】
【従来の技術】
情報産業は、今日小型化に向かって発展しており、小型フラッシュメモリーカード（以下小型メモリーカードと略称）は、市場の要求に従い、急速に水準が上がっている。その中でもコンパクトフラッシュ（登録商標）カード（ＣＦ）、ＰＣＭＣＩＡカード（ＰＣ）、メモリースティックカード（ＭＳ）及び安全デジタルカード（ＳＤ）／マルチメディアカード（ＭＭＣ）の将来性は高い。これはすべてシリコンチップによるメモリー媒体で、特定の電気インターフェイスを通して接し、各種の情報製品或いはデジタル電子装置に設置してデジタル情報を保存するのに使用される。この外、これら小型メモリーカードは体積が小さくて軽く、節電で、振動に強く、容量が大きいので、利用度が高い．．．と色々な長所があるため、各種デジタル情報装置に応用されている。特に各種の携帯式デジタル電子装置、例えばデジタルカメラ（ＤＳＣ）、携帯情報端末（ＰＤＡ）、デジタルプレイヤー、デジタルビデオカメラ、ＭＰ３などの製品への応用に適している。
【０００３】
【発明が解決しようとする課題】
しかしながら、この種の小型メモリーカードは、シリコンチップの体積や消費電力の制限を受け、目下最高容量のものでも従来の容量が高いメモリー媒体（ハードディスク、ＣＤＲＯＭ等）を超えることができない。例として目下ＳＤカードの最高容量は２５６ＭＢで、ＭＳカードの最高容量は１２８ＭＢである。もし高画素のデジタルカメラで６００萬画素のものであるとすると、各一枚には３ＭＢか、それ以上の空間を必要とする。これは言い換えれば、各ＳＤカードには４０〜７０枚前後の写真しか取れないということで、これでは利用者の要求にこたえることができない。
利用者は上述の容量不足の問題を解決するために、更に小型メモリーカードを購入し、保存作業を行うことになる。しかし現在小型メモリーカードのコストは従来のメモリー媒体より高い。このため利用者の経済的負担を重くする。
このため、ハードディスクに小型メモリーカードを結合した制御回路板を利用し、小型メモリーカードのメモリースペア装置とするものがある。つまり小型メモリーカードの容量を空にするため、小型メモリーカードをデジタル電子装置から取り出し、「小型メモリーカードスペア装置」（一般にはハードディスク）に差込み、簡単な情報を保存したり、この装置にスペアとして入れる。そして小型メモリーカードを初めから書式化したり、元の保存してあった情報を削除したりして、初めから使用する。
しかし、公知の「小型メモリーカードスペア装置」によってこの容量不足や別にメモリーカードを購入する問題は解決できるが、使用者は常に「小型メモリーカードからスペア装置に情報を移す動作」を行わなければならない。操作は煩雑で使用者でも確実に移動できたか確認できない。もしこのスペア作業に何らかの問題が発生した場合、元々小型メモリーカードに記憶されていた情報は永遠に消失し、使用者は莫大な迷惑を蒙ることになる。
本発明では上述の問題を改善した無線通信の大容量保存ロード体を提供する。容量を増大し、コストを下げ、小型メモリーカードを新たに購入せずにすむ無線通信の大容量保存ロード体を提案する。これらシミュレーションメモリーカードはＣＦカードタイプＩ／ＩＩ、ＰＣＭＣＩＡタイプＩ／ＩＩ／ＩＩＩ、ＭＳカード、ＳＭ／ｘＤカード及びＳＤ／ＭＭＣカードなどを含む。
また操作が簡単で、公知の「小型メモリーカードスペア装置」のようなたびたびメモリーカードを交換しなければならなかったり、コピーできたかどうかわからないために起こる問題を解決する無線通信の大容量保存ロード体を提案する。
【０００４】
【課題を解決するための手段】
上記課題を解決するため、本発明の無線通信の大容量保存ロード体は、デジタル装置に挿入したシミュレーションメモリーカードと無線通信信号を受けられるメモリーロード体によってデーターを伝送する。そのうちシミュレーションメモリーカードはメモリー連接機、メモリーカード制御機及び無線通信インターフェイスモジュールを備え、デジタル装置が無線通信インターフェイスモジュールを備え、このデジタル装置を受け、無線通信インターフェイスモジュールを通り、この命令を伝送、アクセスする。このメモリーカード制御機は標準のメモリーカード出入力インターフェイス及びプロトコルをシミュレーションし、デジタル装置の命令とデーターを伝送し、並びに無線通信インターフェイスモジュールを通り、メモリーロード体を制御し、アクセスしたデーターを取得することを特徴とするものである。
すなわち本発明の無線通信の大容量保存ロード体は、以下に述べる特徴を有する。
１．無線通信の大容量保存ロード体は、デジタル装置に挿入したシミュレーションメモリーカード、無線通信信号を受けられるメモリーロード体によって、データーを伝送するもので、そのうちシミュレーションメモリーカードはメモリー連接機、メモリーカード制御機及び無線通信インターフェイスモジュールを備え、このメモリーカード制御機は標準のメモリーカード出入力インターフェイスおよびプロトコルをシミュレーションし、デジタル装置を受けて無線通信インターフェイスモジュール３０を通り、この命令を伝送、アクセスすることを特徴とする。
２．前記無線通信インターフェイスモジュールは、無線通信インターフェイス制御機、ＲＦモジュール及びＲＦアンテナを含み、このメモリーカード制御機は先ず命令を無線通信インターフェイスモジュールに適用するプロトコルと命令セットに転換した後、無線通信制御機とＲＦモジュールによってＲＦアンテナに伝送されることを特徴とする。
３．前記メモリーロード体は相対する無線通信インターフェイスモジュール、ＩＤＥインターフェイス転換制御機及び大容量記憶装置を含むことを特徴とする。
４．前記相対する無線通信インターフェイスモジュールは、無線通信インターフェイス制御機、ＲＦモジュール及びＲＦアンテナを含むことを特徴とする。
５．前記ＩＤＥインターフェイス転換制御機は、ＩＤＥ／ＡＴＡ、ＩＤＥ／ＡＴＡＰＩ、ＵＳＢ或いはＩＥＥＥ１３９４インターフェイス制御気を含むことを特徴とする。
６．前記メモリーロード体は、内建て電源及び昇圧転換回路を含み、相対する無線通信ＩＤＥモジュールに供給され、このＩＤＥインターフェイス転換制御機及び大容量記憶装置が必要とする電源となることを特徴とする。
７．前記大容量ロード体は、ハードディスク（ＨＤＤ）、ＣＤ−ＲＯＭ（ＣＤ、ＤＶＤ、ＭＯ）、ディスク（Ｚｉｐ）或いは内建て式書き込み可能のフラッシュメモリーを含むことを特徴とする。
８．前記メモリーカード連接機は、電源転換回路を含み、メモリーカード連接機内部の部品に適用する電源電圧に転換することを特徴とする。
９．前記メモリーカード連接機は、ＣＦカードを含むことを特徴とする。
１０．前記メモリーカード連接機は、ＭＳカードを含むことを特徴とする。
１１．前記メモリーカード連接機は、ＳＤ／ＭＭＣカードを含むことを特徴とする。
１２．前記メモリーカード連接機は、ＰＣＭＣＩＡカードを含むことを特徴とする。
【０００５】
【発明の実施の形態】
以下、本発明無線通信の大容量保存ロード体の実施例を図面に基づいて説明する。
先ず、図１が示すように、本発明は、デジタル装置（例としてノート型パソコン、ＰＤＡ、デジタルカメラ、デジタルビデオカメラ、ＭＰ３またはその他のデジタル通信装置．．．等）に差し込んだシミュレーションメモリーカード１００と無線信号をアクセプトできるメモリーロード体１１０によってデーターの伝送を行う。そのうちこのシミュレーションカード１００にはメモリーカード連接機１０、メモリーカード制御機２０および無線通信インターフェイスモジュール３０が備えてある。このメモリーカード制御機２０は、標準のメモリーカード出入力インターフェイスおよびプロトコルをシミュレーションし、デジタル装置を受けて無線通信インターフェイスモジュール３０を通り、この命令を無線通信と命令セットに転換し、再びデーターをメモリーロード体１１０に伝送する。すなわちメモリーロード体１１０は無線通信のインターフェイスを通りメモリーカード制御機２０が伝送する命令とデーターを受け入れる。また大容量記憶装置にアクセスし、アクセスした結果を無線通信インターフェイスを通り、メモリーカード制御機２０に返答して伝送する。
【０００６】
上述の無線通信インターフェイスモジュール３０は、更に無線通信インターフェイス制御機３２、ＲＦモジュール３４及びＲＦアンテナ３６を含む。言い換えると、このメモリーカード制御機２０は命令を無線通信インターフェイスモジュールに適用するプロトコルと命令セットに転換した後、更に無線通信制御機３２とＲＦモジュール３４によってＲＦアンテナ３６へ伝送する。図２に示すとおり、本発明のメモリーロード体１１０には、対応する無線通信インターフェイスモジュール（同上、即ち無線通信インターフェイス制御機１３２、ＲＦモジュール１３４及びＲＦアンテナ１３６を含む）、ＩＤＥインターフェイス転換制御機１４０及び大容量記憶装置１２０を含む。そのうち、メモリーロード体１１０には内建て電源及び昇圧転換回路１１２があり、対応する無線通信インターフェイスモジュールに使用され、このＩＤＥインターフェイス転換制御機１４０及び大容量記憶装置１２０等の内部部品に必要な電源電圧となる。
本発明では一般に使用するＩＤＥインターフェイスを使用して大容量記憶装置１２０の伝送インターフェイスを連接している。そのため無線通信のＩＤＥインターフェイス転換制御機１４０備えているが、下記各種のインターフェイス制御機に応用できる。例としてＩＤＥ／ＡＴＡ、ＩＤＥ／ＡＴＡＰＩ、ＵＳＢまたはＩＥＥＥ１３９４等のインターフェイス制御機である。
【０００７】
図３，４に示すのは、シミュレーションＣＦカードのハード回路図及びメモリーロード体無線通信のハード回路図である。本発明のシミュレーションメモリーカード１００は、内建ての電源転換回路１２、メモリー連接機１０、メモリーカード制御機１０、無線通信インターフェイス制御機３２、ＲＦモジュール３４及びＲＦアンテナ３６を含む。そのうち電源転換回路１２は供給された電源を適合する内部の部品に使用している電源電圧に転換し、更に電源を保護し、圧力を安定させる。このシミュレーションしたＣＦメモリーカード連接機１０をデジタル装置に差し込むと、デジタル装置本体のインターフェイスを直接利用し、データーを制御してシミュレーションＣＦメモリーカード１０の無線通信インターフェイス制御機３２、ＲＦモジュール３４を通り、最後にＲＦアンテナ３６を通ってメモリーロード体１１０に伝送される。
【０００８】
図４に示すとおり、先ず内建て電源及び昇圧転換回路１１２によって、無線通信インターフェイスのＩＤＥインターフェイス転換制御機１４０とＩＤＥインターフェイスの大容量記憶装置に必要な電源を供給する。この大容量記憶装置１２０は、一般のＩＤＥインターフェイスハードディスク（ＨＤＤ）以外に、コピー可能ＣＤＲＯＭ（ＣＤ−ＲＷ）、コピー可能高容量ＣＤＲＯＭ（ＤＶＤ―ＲＷ、ＤＶＤ−ＲＡＭ）、光磁気ＣＤ−ＲＯＭドライブ（ＭＯ）、Ｚｉｐディスク或いはフラッシュメモリーを含む。無線通信制御機１３２とＲＦモジュール１３４を無線通信インターフェイス信号に連接すると、対応するＲＦアンテナ１３６がシミュレーションメモリーカード１００が発した無線通信命令をアクセプトし、無線通信ＩＤＥインターフェイス転換制御機１４０を経て、無線通信インターフェイスを大容量記憶装置１２０の命令とプロトコルに連接し、ＩＤＥインターフェイスの記憶装置によるサポート基準に転換し、アクセス動作を行う。（この図ではＩＤＥインターフェイス連接機１４２のみを表示している）。更にアクセスした結果発生した情報を無線通信インターフェイス（即ち無線通信制御機１３２、ＲＦモジュール１３４及びＲＦアンテナ１３６）とシミュレーションメモリーカード１００を通り交換を行い、更にデジタル装置にあるシミュレーション標準ＣＦメモリーカードを得る。
【０００９】
そのうち、内建て電源及び昇圧転換回路１１２は、電池或いは外接電源とし、電源を無線通信インターフェイスモジュール、無線通信インターフェイスＩＤＥインターフェイス転換制御機１４０、大容量記憶装置内部適用の＋５ｖと１２ｖ電源に転換する。もし電池が不足した場合、各自で電池を交換でき、また一般の交流電源に外付けすることができる。更にこの昇圧電源転換回路１１２もまた電源を保護し、安定させる作用をもち、本発明の大容量記憶装置に電源電圧の不安定や不足による損害を与えないようになっている。
同じく図５〜図７に示すのは、本発明のシミュレーションＳＤ、ＭＳ及びＰＣカードの回路図である。これらの示すシミュレーションＳＤ／ＭＭＣ、ＭＳ、ＰＣメモリーカードは原理と応用が同じであるため、ここでは重複を避ける。
特に本発明の大容量記憶装置は、上述のＩＤＥインターフェイスのハードディスクの他、移動式ＣＤ−ＲＯＭ１２２或いはその他移動式メモリー装置などでもよい。
【００１０】
【発明の効果】
以上説明したように、本発明の無線通信の大容量保存ロード体は、デジタル装置に挿入したシミュレーションメモリーカードと無線通信信号を受けられるメモリーロード体によってデーターを伝送する。そのうちシミュレーションメモリーカードはメモリー連接機、メモリーカード制御機及び無線通信インターフェイスモジュールを備え、デジタル装置が無線通信インターフェイスモジュールを備え、このデジタル装置を受け、無線通信インターフェイスモジュールを通り、この命令を伝送、アクセスする。このメモリーカード制御機は標準のメモリーカード出入力インターフェイス及びプロトコルをシミュレーションし、デジタル装置の命令とデーターを伝送し、並びに無線通信インターフェイスモジュールを通り、メモリーロード体を制御し、アクセスしたデーターを取得するという特徴をもつ。それにより、操作が簡単で、容量が増大し、コストを下げるのに効果的である。
【図面の簡単な説明】
【図１】本発明の具体的実施例の方眼図である。
【図２】本発明のメモリーロード体のハード機能方眼図である。
【図３】本発明のシミュレーションＣＦカードのハード回路図である。
【図４】図３とメモリーロード体無線通信のハード回路図である。
【図５】本発明のシミュレーションＳＤカードの回路図である。
【図６】本発明のシミュレーションＭＳカードの回路図である。
【図７】本発明のシミュレーションＰＣカードの回路図である。
【符号の説明】
１０　メモリー連接機
１２　電源転換回路
２０　メモリーカード制御機
３０　無線通信インターフェイスモジュール
３２　無線通信インターフェイス制御機
３４　ＲＦモジュール
３６　ＲＦアンテナ
１００　シミュレーションメモリーカード
１１０　メモリーロード体
１１２　内建て電源及び昇圧転換回路
１２０　大容量記憶装置
１２２　ＣＤＲＯＭターフェイス制御機
１３２　無線通信インターフェイス制御機
１３４　ＲＦモジュール
１３６　ＲＦアンテナ
１４０　ＩＤＥインターフェイス転換制御機
１４２　ＩＤＥインターフェイス連接機
【図１】
2004110762.tif 000003
【図２】
2004110762.tif 000004
【図３】
2004110762.tif 000005
【図４】
2004110762.tif 000006
【図５】
2004110762.tif 000007
【図６】
2004110762.tif 000008
【図７】
2004110762.tif 000009